(57)【要約】【課題】悪戯を目的とした開封を困難にするとともに開封された場合にはその痕跡を明瞭に残すことができ、かつ、外観上見栄えが良く容易に製造することができる吊り下げ式包装用箱を提供することにある。【解決手段】本発明は、所定形状に打ち抜かれたブランクにより形成され、側板、前板、側板、後板から成る角筒状の胴部と、該胴部の下端開口を覆う主に底板からなる底部と、胴部の上端開口を覆う主に蓋板からなる蓋部とからなる箱本体と、後板の上端部から上方に向けて延設された背板からなる吊り下げ部とで構成され、背板に吊り下げ用孔が設けられている吊り下げ式包装用箱において、吊り下げ用孔が背板の下端部に設けられ、該吊り下げ用孔を通して蓋板と後板に跨ってシールを貼付した吊り下げ式包装用箱であり、このシールが改ざん防止用のシールであることを特徴とするものである【選択図】図１
2005263270.tif 000002
【特許請求の範囲】
【請求項１】
所定形状に打ち抜かれたブランクにより形成され、側板、前板、側板、後板から成る角筒状の胴部と、該胴部の下端開口を覆う主に底板からなる底部と、前記胴部の上端開口を覆う主に蓋板からなる蓋部とからなる箱本体と、前記後板の上端辺から上方に向けて延設された背板からなる吊り下げ部とで構成され、前記背板に吊り下げ用孔が設けられている吊り下げ式包装用箱において、
前記吊り下げ用孔が前記背板の下端部に設けられ、該吊り下げ用孔を通して前記蓋板と前記後板に跨ってシールを貼付したことを特徴とする吊り下げ式包装用箱。
【請求項２】
前記シールが改ざん防止用のシールであることを特徴とする請求項１に記載の吊り下げ式包装用箱。
【発明の詳細な説明】
【技術分野】
【０００１】
本発明は、雑貨類、各種薬品、電気部品、電気製品等を包装した箱で、店頭において吊り下げられた状態で展示されるように形成した吊り下げ式包装用箱に関するものである。
【背景技術】
【０００２】
従来の吊り下げ式包装用箱は、図６−ａに示すように、内容物を収納する箱本体１と、この箱本体１の上部に開閉自在に形成された蓋板４と、この蓋板４とは反対側で箱本体１側面から延長した吊り下げ部２から構成されている。この吊り下げ式包装用箱Ｐは、蓋板４に連設した蓋差し込み片４ｃを差し込むという作用のみで箱本体１の開口を封止するため、振動などの要因で浮きが生じ易く、封止が不完全となりやすいという問題がある。
【０００３】
この欠点を解決するために、種々の形態が提案されている。一つの形状としては、蓋差し込み片４ｃの両端に切り欠きｐを形成し、蓋折り込み片４ａの一部と係合させて、蓋板４の浮きを防止するものが一般的であった。ところが、上記構成の吊り下げ式包装用箱Ｐにおいては、蓋差し込み片４ｃに切り欠きｐを形成すると蓋板４の浮きは防止できるが、開封動作時に切り欠きｐに不要な力が加わり開閉作業がスムースにいかないという問題がある。
【０００４】
また、別の形状としては、図６−ｂに示すように、商品を収める箱本体１と、この箱本体１の上部に開閉自在に形成された蓋板４と、この蓋板４とは反対側で箱本体１側面から延長した背板６からなる吊り下げ部２から構成され、この吊り下げ部２は箱本体１側面から延長された背板６に連設された折り返し板７を折り返し、その折り返し板７の先端が箱本体１内部に位置するように形成され、この折り返し板７には、蓋板４とその蓋差し込み片４ｃの間の折れ線部分に形成された差し込み用のスリットに挿入される係止片７ａが、折り返し板７のほぼ中央部で円弧状の切り込み線を介して形成されており、蓋板４の蓋差し込み片４ｃを箱本体１内に挿入して、吊り下げ部２の係止片７ａを切り込み線からわずかに起こして、蓋板４のスリットに差し込むことにより、蓋板４のスリットに係止片７ａが係合して開かなくなるという形状も提案されている（例えば、特許文献１参照。）。
【特許文献１】実願平４−６５４１０号公報
【発明の開示】
【発明が解決しようとする課題】
【０００５】
しかしながら、上記従来の吊り下げ式包装用箱の場合、係止片の保持力も弱く、箱の振動や中身の商品の移動による衝撃力で蓋板が持ち上がったり、切り込み線が裂けて開いたりしやすいものであり、しかも、蓋板が持ち上がり、蓋板が容易に開きやすく、振動などによっても蓋板の保持が外れやすく、箱本体内部に埃や異物が進入しやすくなり、安全衛生上も問題となっていた。
【０００６】
また、店頭において、蓋板を開いて被包装物を抜き取ったり改鼠したりした後に蓋板を元に戻すという悪戯が行われることがあり、このような悪戯を目的とした開封を困難にするとともに開封された場合にはその痕跡を残すことができるように、従来は、蓋板の蓋差し込み片を後板に接着固定したりしていたが、蓋差し込み片を後板に接着固定する場合には、開封されたか否かを明瞭に判別しにくいという問題点が有った。また、図７に示す吊り下げ式包装用箱Ｒのように、シールＳを貼付する方法もあるが、図７−ａに示すように、蓋板４と背板６の間に跨ってシールＳを貼付した場合、加工が難しい上に剥がれ易いという問題があり、図７−ｂに示すように、蓋板４の側辺と胴部の側板３ｃに跨ってシールＳを貼付した場合、外観上見栄えが良くないという問題点が有った。
【０００７】
本発明は上述した問題点に鑑みてなされたものであって、その目的は、悪戯を目的とした開封を困難にするとともに開封された場合にはその痕跡を明瞭に残すことができ、かつ、外観上見栄えが良く容易に製造することができる吊り下げ式包装用箱を提供することにある。
【課題を解決するための手段】
【０００８】
上述した目的を達成するために、請求項１に記載の発明は、所定形状に打ち抜かれたブランクにより形成され、側板、前板、側板、後板から成る角筒状の胴部と、該胴部の下端開口を覆う主に底板からなる底部と、前記胴部の上端開口を覆う主に蓋板からなる蓋部とからなる箱本体と、前記後板の上端辺から上方に向けて延設された背板からなる吊り下げ部とで構成され、前記背板に吊り下げ用孔が設けられている吊り下げ式包装用箱において、前記吊り下げ用孔が前記背板の下端部に設けられ、該吊り下げ用孔を通して前記蓋板と前記後板に跨ってシールを貼付したことを特徴とする吊り下げ式包装用箱である。
【０００９】
また、請求項２に記載の発明は、請求項１の吊り下げ式包装用箱において、前記シールが改ざん防止用のシールであることを特徴とするものである。
【発明の効果】
【００１０】
上述した請求項１の発明によれば、吊り下げ部の背板の下端部に吊り下げ用孔を設けたことにより、吊り下げ用孔を通して蓋板と後板に跨ってシールが貼付できることによって、外観上見栄えがよくシールを貼付することができるという効果を有している。
【００１１】
また、請求項２に記載の発明によれば、請求項１の発明の効果に加えて、改ざん防止用のシールを貼付することにより、悪戯を目的とした開封が困難であるとともに開封された場合にはその痕跡を明瞭に残すことができるという効果を有している。
【発明を実施するための最良の形態】
【００１２】
以下、本発明の具体的な実施形態を図面を参照しながら説明する。図１は本発明の吊り下げ式包装用箱の一実施形態の斜視図であり、図２は図１の吊り下げ式包装用箱を形成するブランクの展開図であり、図３は図１の吊り下げ式包装用箱の組立方法の説明図であり図４は従来の吊り下げ式包装用箱の一例を示す斜視図であり、そして、図５は従来の吊り下げ式包装用箱の別の例を示す斜視図である。
【００１３】
本発明の吊り下げ式包装用箱Ａは、図１に示すように、所定形状に打ち抜かれたブランク１０Ａにより形成され、箱本体１と吊り下げ部２とシールＳとから成っている。すなわち、箱本体１の後板３ｃの上方に延長して吊り下げ部２を形成する背板６を延設した形状で、この背板６の下端部には吊り下げ用孔６ａが設けられ、この吊り下げ用孔６ａを通して蓋板４と箱本体１の後板３ｃに跨ってシールＳが貼られた形状となっている。
【００１４】
箱本体１は、側板３ａ、前板３ｂ、側板３ｃ、後板３ｄからなる角筒状の胴部３と、胴部３の前板３ｂの上辺に折れ線を介して連設され、胴部３の上端開口を覆う蓋板４と、この蓋板４の先端辺に折れ線を介して連設された蓋差し込み片４ｃと、この胴部３の下端開口を覆う底板５とを有している。
【００１５】
一方、吊り下げ部２は、胴部３の後板３ｄの上辺から上方に向けて延設された背板６からなる。この背板６の先端辺に折れ線を介して折り返し板を連設し、折り返して背板６上に接着固定して背板６を補強してもよい。この背板６には、販売時点で吊り下げ式包装用箱Ａを吊り下げるための、吊り下げ用孔６ａが形成されている。この吊り下げ用孔６ａは、背板６の下端部に設けられ、本例では、胴部３の後板３ｄと吊り下げ部２である背板６の境界線である背板６の下辺の中央部を一辺として上方の背板６に向けて略四辺形に膨らんだ形状であり、さらに、吊り下げ用孔６ａの上辺の中央部には、吊り下げ具に吊り下げやすいように、凹部を設けている。
【００１６】
図２は、その本発明の吊り下げ式包装用箱Ａのブランクの展開図である。ブランク１０Ａでは、側板３ａ、前板３ｂ、側板３ｃ、後板３ｄ、糊代片３ｅが折れ線ａ、ｂ、ｃ、ｄを介して連設され、糊代片３ｅを側板３ａの裏面に貼り合せて吊り下げ式包装用箱Ａの胴部３が形成される。これら側板３ａ、前板３ｂ、側板３ｃの上辺には、それぞれ折れ線ｅ、ｆ、ｇを介して蓋折り込み片４ａ、蓋板４、蓋折り込み片４ｂが連設され、そして、蓋板４の上辺には、折れ線ｈを介して蓋差し込み片４ｃが連設され、これらは箱本体１の形成の際に蓋部を構成する。一方、これら側板３ａ、前板３ｂ、側板３ｃの下辺には、それぞれ折れ線ｉ、ｊ、ｋを介して底折り込み片５ａ、底板５、底折り込み片５ｂが連設され、そして、底板５の下辺には、折れ線ｌを介して底差し込み片５ｃが連設され、これらは箱本体１の形成の際に底部を構成する。この底部を構成する形状として、本例では蓋差し込み片によるサック形式としているが、このサック形式以外に、オートボトム、ＤＯロック等のボトム形式、シールエンド形式等としてもよい。
【００１７】
そして、胴部３の後板３ｄの上辺には、吊り下げ部２である背板６が延設されている。この背板６の下端部には、吊り下げ用孔６ａが設けられている。この吊り下げ用孔６ａの形状は、本例の形状に限定されるものではなく、長円形等としてもよい。また、吊り下げ用孔６ａの下辺は胴部３の後板３ｄと吊り下げ部２である背板６の境界線上に位置することが好ましいが、シールＳを貼ることができる範囲で、吊り下げ用孔６ａの一部が胴部３の後板３ｄ側に入り込んだ形状で背板６と後板３ｄとに跨った形状としてもよい。
【００１８】
背板６の形状は、本例の四辺形に限定されるものではなく、例えば、半円形、台形等、あるいはデザインに合った種々の形状とすることができる。
【００１９】
この吊り下げ式包装用箱を形成するブランクは、主に、白板紙、マニラボール等の適度の剛性を有する板紙から成るが、ポリプロピレン、ポリエチレンテレフタレート、ポリ塩化ビニル等のプラスチックシートを材料とすることもできる。
【００２０】
シールＳは、特に、限定されず、公知のシールを使用することができるが、悪戯を目的とした開封を困難にするとともに開封された場合にはその痕跡を明瞭に残すことができ、再シールが不可能な、例えば、脆い基材を使用したり、基材にスリツトを設けたりした、いわゆる、改ざん防止に対応した公知の改ざん防止用シールを使用することが好ましい。
【００２１】
つぎに、上記のブランク１０Ａから本発明の吊り下げ式包装用箱Ａを形成する方法を説明する。
まず、図３−ａに示すように、側板３ａ、前板３ｂ、側板３ｃ、後板３ｄ、および糊代片３ｅをこれらの間の折れ線ａ、ｂ、ｃ、ｄで内側に折り曲げ、糊代片３ｅを側板３ａの内面に貼り合わせて、図３−ｂに示すように、角筒状に胴部３を形成する。
【００２２】
つぎに、底部を形成するために、図３−ｃに示すように、底折り込み片５ａ、５ｂを内側に折り曲げ、さらに、底板５を折り曲げ、底差し込み片５ｃを胴部３の後板３ｄの裏面側に差し込む。この時、底折り込み片５ａ、５ｂに底板５を貼り合わせるか、底差し込み片５ｃを後板３ｄの裏面に貼り合わせることによって底部を形成する。
【００２３】
つぎに、図３−ｄに示すように、上端が開口した箱本体１内部に被包装物を挿入した後、蓋折込片４ａ、４ｂを内側に折り曲げる。ついで、蓋差し込み片４ｃを折り曲げた後、蓋板５を内側に直角に折り曲げて、図３−ｅに示すように、蓋差し込み片４ｃを後板３ｄの裏側に差し込んで蓋部を形成する。
【００２４】
さらに、シールＳを、吊り下げ部２の背板６に設けられた吊り下げ用孔６ａを通して蓋板４と後板３ｄに跨って貼り付ける。背板３ｄに吊り下げ用孔６ａが設けられていることによって、蓋板４と後板３ｄに跨ってシールＳを貼り付けることができ、図１に示すように、蓋板４を封止することができる。
【００２５】
このようにして製造した本発明の吊り下げ式包装用箱Ａは、従来の吊り下げ式包装用箱と同様にして、販売時点等において吊り下げて使用することができる。
【００２６】
また、実際に、消費者が使用を目的としてこの吊り下げ式包装用箱を開封する場合には、シールＳを剥がすか破断するしかなく、シールＳを剥がすか破断することで、蓋板４を持ち上げて箱本体１の蓋板４を開口させ、ここから被包装物を取り出すことができる。さらに、改ざん防止用のシールを使用することによって、シールＳを剥がした場合でも、剥がしたシールＳの痕跡を明瞭に残すことができる。
【実施例】
【００２７】
以下、本発明の吊り下げ式包装用箱について、一実施例をあげ、図を参照にして説明する。本発明の吊り下げ式包装用箱はこの実施例に限定されるものでないことはいうまでもない。
【００２８】
実施例として、図４に示すように、プリンター用のインクカセット等を収納する吊り下げ式包装用箱を作製した。まず、材料の板紙として、コートボール３１０ｇｍを使用して、公知の印刷方法により、表面に内容物に関する絵柄、表示等を印刷した。ついで、公知の打ち抜き方法により、図５に示すようなブランク１０Ｂを作製した。このブランク１０Ｂでは、吊り下げ部２の背板６に折れ線ｍを介して折り返し板７を連設し、背板６に吊り下げ用孔６ａを設けると共に、折り返し板７にも吊り下げ用孔７ｂを設け、そして、それらの位置関係を、背板６の裏面側に折り返し板７を折り返した時に、背板６の吊り下げ用孔６ａと折り返し板７の吊り下げ用孔７ｂが貫通する位置とした。
【００２９】
つぎに、上記のブランク１０Ｂを用いて、まず、吊り下げ部２の折り返し板７を折れ線で背板６の裏面側に折り返して背板６と部分的に貼り合わせ、ついで、側板３ａ、前板３ｂ、側板３ｃ、後板３ｄ、および糊代片３ｅをこれらの間の折れ線ａ、ｂ、ｃ、ｄで内側に折り曲げ、糊代片３ｅを側板３ａの内面に貼り合わせて、角筒状に胴部３を形成した。
【００３０】
つぎに、底部を形成するために、底折り込み片５ａ、５ｂを内側に折り曲げ、底内板５ｄを内側に折り曲げ、さらに、底板５を折り曲げて、底内板５ｄに底板５を貼り合わせることによって底部を形成した。
【００３１】
つぎに、図４−ａに示すように、上端が開口した箱本体１内部にプリンター用のインクカセット等の内容物を挿入して収納した後、蓋折込片４ａ、４ｂを内側に折り曲げた。ついで、蓋差し込み片４ｃを折り曲げた後、蓋板４を内側に直角に折り曲げて、蓋差し込み片４ｃを後板３ｄの裏側に差し込んで蓋部を形成した。
【００３２】
さらに、シールＳを、吊り下げ部２の背板６および折り返し板７を貫通して設けられた吊り下げ用孔６ａ（７ｂ）を通して蓋板４と後板３ｄに跨って貼り付けた。背板３ｄに吊り下げ用孔６ａが設けられていることによって、蓋板４と後板３ｄに跨ってシールＳを貼り付けることができ、図４−ｂに示すように、蓋板４を封止することができた。
【００３３】
このようにして製造した本発明の吊り下げ式包装用箱Ｂは、従来の吊り下げ式包装用箱と同様にして、販売時点等において吊り下げて使用することができた。
【００３４】
また、実際に、消費者が使用を目的としてこの吊り下げ式包装用箱を開封する場合には、シールＳを剥がすか破断することで、箱本体１の蓋板４を開口させ、ここから内容物であるプリンター用のインクカセット等を取り出すことができ、その場合、剥がすか破断したシールＳの痕跡を明瞭に残すことができた。
【産業上の利用可能性】
【００３５】
本発明の吊り下げ式包装用箱は、雑貨品、薬品、電気部品、電気製品等の内容物を収納し、販売時に、吊り下げて販売する包装用箱として適用することができる。特に、店頭において、蓋板を開いて内容物を抜き取ったり改鼠したりした後に蓋板を元に戻すという悪戯を防ぐ必要のある商品の包装用箱に適用することができる。
【図面の簡単な説明】
【００３６】
【図１】本発明の吊り下げ式包装用箱の一実施形態の斜視図である。
【図２】図１の吊り下げ式包装用箱を形成するブランクの展開図である。
【図３】図１の吊り下げ式包装用箱の組立方法の説明図である。
【図４】本発明の吊り下げ式包装用箱の一実施の斜視図である。
【図５】図４の吊り下げ式包装用箱を形成するブランクの展開図である。
【図６】従来の吊り下げ式包装用箱の一例を示す斜視図である。
【図７】従来の吊り下げ式包装用箱の別の例を示す斜視図である。
【符号の説明】
【００３７】
Ａ    吊り下げ式包装用箱（本発明の）
Ｂ    吊り下げ式包装用箱（本発明の）
Ｐ    従来の吊り下げ式包装用箱
Ｑ    状来の吊り下げ式包装用箱
Ｒ    状来の吊り下げ式包装用箱
１    箱本体
２    吊り下げ部
３    胴部
３ａ  前板
３ｂ  側板
３ｃ  後板
３ｄ  側板
４    蓋板
４ａ  蓋折り込み片
４ｂ  蓋折り込み片
４ｃ  蓋差し込み片
５    底板
５ａ  底折り込み片
５ｂ  底折り込み片
５ｃ  底差し込み片
５ｄ  底内板
６    背板
６ａ  吊り下げ用孔
７    折り返し板
７ａ  係止片
７ｂ  吊り下げ用孔
１０Ａ  ブランク
１０Ｂ  ブランク
Ｓ    シール
ｐ    切り欠け
【図１】
2005263270.tif 000003
【図２】
2005263270.tif 000004
【図３】
2005263270.tif 000005
【図４】
2005263270.tif 000006
【図５】
2005263270.tif 000007
【図６】
2005263270.tif 000008
【図７】
2005263270.tif 000009